【事件の表示】
　特願２００１−　４４４０９「液晶表示装置」拒絶査定不服審判事件〔平成１３年１０月１９日出願公開、特開２００１−２９０１７２〕について、次のとおり審決する。
【結　論】
　本件審判の請求は、成り立たない。
【理　由】
１．手続の経緯
　本願は、平成８年８月９日に出願された特願平８−２１１７７９号（優先権主張　平成７年８月１１日、９月２９日）の一部を新たな特許出願とした特願平１０−２２０２２０号の一部を、さらに新たな特許出願としたものであって、原審において、平成１６年３月１０日付で拒絶理由が通知され、同年５月１４日に手続補正がなされたところ、同年７月９日付で拒絶査定がなされ、これに対し、同年８月１２日に拒絶査定に対する審判請求がなされるとともに、同年９月１０日に手続補正がなされたものである。
　　
２．平成１６年９月１０日付手続補正についての補正却下の決定
[補正却下の決定の結論]
平成１６年９月１０日付手続補正を却下する。
[理由]
（１）補正後の本願発明
　本件補正により、特許請求の範囲の請求項１は、
「【請求項１】　複数のゲート配線と、各ゲート配線とは直交するようにそれぞれが配置された複数のソース配線と、各ゲート配線と各ソース配線との交差部の近傍にそれぞれ配置された複数のスイッチング素子と、各ゲート配線、各ソース配線および各スイッチング素子を覆うアクリル系感光性樹脂の層間絶縁膜と、該層間絶縁膜上にマトリクス状に設けられた複数の画素電極とを備え、前記各スイッチング素子は、各スイッチング素子の近傍の交差部のゲート配線およびソース配線にそれぞれ接続されたゲート電極およびソース電極と、前記層間絶縁膜に設けられたコンタクトホールを介して前記各画素電極にそれぞれ接続されたドレイン電極とを有する、アクティブマトリクス基板と、
　対向電極が設けられた対向基板と、
　前記アクティブマトリクス基板の各画素電極と前記対向基板とによって挟持された液晶層と、
　１水平期間毎に極性が反転したデータ信号を、前記各ソース配線および前記スイッチング素子を介して前記各画素電極にそれぞれ供給して各画素を表示駆動する表示駆動手段とを備えた液晶表示装置であって、
　下記式（１）で表される容量比が１０％以下となる下記容量値Ｃsdが得られるように、前記各ソース配線と各画素電極とが
線幅方向に１μｍ以上
前記層間絶縁膜の膜厚が２．０μｍ以上になっている
　容量比＝Ｃsd／（Ｃsd＋Ｃls）・・・（１）
　但し、Ｃsdは画素電極とソース配線との間の容量値を示し、Ｃlsは各画素を構成する液晶の透過率が５０％の場合における容量値を示す。」（下線は当審が引いた。以下同じ。）と補正された。
　　
　上記補正は、補正前の請求項１に記載した発明を特定するために必要な事項である、「ソース配線と各画素電極と」の「オーバーラップ」量について、「
線幅方向に１μｍ以上
２．０μｍ以上になっている
　そこで、本件補正後の上記請求項１に記載された発明（以下、「本願補正発明」という。）が特許出願の際独立して特許を受けることができるものであるか（平成１８年改正前特許法第１７条の２第５項において準用する同法第１２６条第５項の規定に適合するか）について以下に検討する。
　　
（２）引用例
　原査定において引用された特開平６−１３０４１８号公報（以下、「引用例１」という。）には、図面とともに以下の事項が記載されている。
　ａ．「【０００１】【産業上の利用分野】
　本発明は表示装置に関するものであり、特に非線形素子を備えた液晶表示装置に関するものである。」
　ｂ．「【０００２】・・・図６（ｂ）は、この従来例の開口率を高めたアクティブマトリクス液晶表示装置の、駆動素子と画素のレイアウトを示している。この従来のアクティブマトリクス型液晶表示装置は、開口率を高めるために、透明な画素電極６０４とゲートライン６０２、および
画素電極６０４とデータライン６０３の間に厚めの有機薄膜の層間絶縁膜６１３を形成
【０００３】この図６（ｂ）のＡ−Ａ’とＢ−Ｂ’に沿った断面図を図７と図８に示す。
【０００４】図７（ａ）は、プレーナ型薄膜トランジスタの断面図である。ガラス基板上に不純物の拡散を防ぐためのパッシベーション膜７０８を形成し、ソース領域７０５とドレイン領域７０６と活性シリコン層７１０が連続的に構成され、活性シリコン層７１０上にゲート絶縁膜７０９が被着形成し、さらに活性シリコン層７１０に重なるようにゲート電極７０７がある。ゲート電極７０７を、第１の層間絶縁膜７１１と第２の層間絶縁膜７１３で覆う。また、第１の層間絶縁膜７１１と第２の層間絶縁膜７１３の間には、ソース領域７０５に接続されたソース電極がある。さらに、ドレイン領域７０６に到達するように層間絶縁膜にコンタクトホールを形成し、第２の層間絶縁膜７１３上に画素電極７０４を形成する。図７（ａ）に示されるように画素電極７０４はゲート電極７０７に重なるように形成し、さらに隣の画素の画素電極７１５もゲート電極７０７に重なっている。また、Ｂ−Ｂ’に沿った断面図、図７（ｂ）では、画素電極７０４はゲートライン７０２に重なるように形成し、さらに隣の画素の画素電極７１５もゲートライン７０２に重なっている。」
　ｃ．「【０００６】【発明が解決しようとする課題】　
　ところが、従来の方法では次のような問題があった。
　【０００７】データラインと透明画素電極の間に、４００ｎｍの厚みの酸化シリコン膜、あるいは窒化シリコン膜、または１０００ｎｍの厚みの有機薄膜を挟み込んで、データラインと透明画素電極の一部の領域と、さらにゲートラインと透明画素電極の一部の領域を重ねて、開口率の向上を図っているが、図５の回路図で示すゲートラインＧmと画素電極の間で大きな寄生容量Ｃmが発生し、透明画素電極に十分な信号が印加されず、低コントラストの表示になってしまう、いわゆるプッシュダウンの欠点があった。さらに、データラインＳnとＳn+1と画素電極の間に発生する容量ＣnとＣn+1は、データラインの信号の遅延やなまりによるクロストークの原因となり、高品質の画像が得られない問題があった。」
　ｄ．「【０００８】【課題を解決するための手段】
　２枚の透明基板に液晶を挟持し、少なくとも一方の基板上に非線形素子が形成された液晶表示装置のアクティブマトリクス基板において、透明導電膜によって形成された絵素電極が上記非線形素子を動作させるための配線上まで覆っており、上記配線画絵素部分以外の部分における光漏れを防止する遮光膜をかねており、上記非線形素子の動作を制御する配線が上記非線形素子の活性化領域より、下方に形成されていることを特徴とするアクティブマトリクス基板である。
　【０００９】【実施例】
　本発明は上記の問題に鑑み、プッシュダウンの原因となるゲートラインと画素電極の間で発生する寄生容量を低減し、またプッシュダウン現象を緩和するための保持容量を形成することによって、鮮明な高品質の画像が得られる液晶表示体を構成するアクティブマトリクス基板の構造を提供するものである。
　【００１０】また、
クロストークの原因となる配線と画素電極の間で発生する寄生容量を低減することによって、鮮明な高品質の画像が得られる液晶表示体を構成するアクティブマトリクス基板
　ｅ．「【００１３】図２（ａ）は、本発明の実施例のプレナー型の薄膜トランジスタをスイッチング素子に利用した場合の図１（ａ）のＡ−Ａ’に沿った薄膜トランジスタの断面図を示す。
　【００１４】溝を形成したガラス基板全面に、パッシベーション膜の酸化シリコン膜あるいは窒化膜２０８を被着し、パターニングしたシリコン膜が溝に入っており、このシリコン膜を覆うようにゲート絶縁膜２０９が被着し、溝に入るようにゲート電極２０７を配置する。・・・」
　ｆ．「【００１７】図１（ｂ）のＢ−Ｂ’に沿ったゲートライン２０２の断面構造を図２（ｂ）に示した。ゲートライン２０２上には、第１の層間絶縁膜と第２の層間絶縁膜があり、
ゲートラインに重なるように画素電極２０４が配置している。
　【００１８】
このゲートライン２０２と画素電極２０４の重ね合わせは、データラインでも利用している。また、ゲートライン２０２に限らず、データラインもガラス基板の溝の中に配置しても良い
　ｇ．「【００２３】【発明の効果】
　配線をガラス基板の溝の中に形成することにより、
データラインやゲートライン、ゲート電極上の、層間絶縁膜である有機薄膜の厚みが従来より厚くなるため、画素電極と配線が層間絶縁膜を挟んだコンデンサーの寄生容量が小さくなるため、スイッチング素子によって画素電極に加えられた信号の歪みが著しく減少するので、開口率が極めて高い状態で、明るくコントラストが高い良好な品質の画像が得られるようになった
　【００２４】
また、データラインをガラスの溝に形成する場合には、データラインと画素の重なりで発生した容量が減少するので、データラインの端から端まで正確な信号が伝わるので、画像のムラやフリッカーがなくなり、やはり、開口率が極めて高い状態で、明るく高品質の画質が得られる
　
　ｈ．さらには、上記ｂに記載されたアクティブマトリクス液晶表示装置において、「一対の透明基板のうちアクティブマトリクス基板に対向する他方の基板には、対向電極が設けられている。」ことは当業者に自明であるから、上記事項は、引用例１に記載されているに等しい事項であるといえる。
　
　したがって、上記ａ〜ｈの記載事項によれば、引用例１には、
「複数のゲートラインと、各ゲートラインとは直交するようにそれぞれが配置された複数のデータラインと、各ゲートラインと各データラインとの交差部の近傍にそれぞれ配置された複数のスイッチング素子と、各ゲートライン、各データラインおよび各スイッチング素子を覆う有機薄膜の層間絶縁膜と、該層間絶縁膜上にマトリクス状に設けられた複数の画素電極とを備え、前記各スイッチング素子は、各スイッチング素子の近傍の交差部のゲートラインおよびデータラインにそれぞれ接続されたゲート電極およびソース電極と、前記層間絶縁膜に設けられたコンタクトホールを介して前記各画素電極にそれぞれ接続されたドレイン領域とを有する、アクティブマトリクス基板と、対向電極が設けられた他方の基板と、前記アクティブマトリクス基板の各画素電極と前記他方の基板とによって挟持された液晶とを備えたアクティブマトリクス型液晶表示装置であって、データライン上の層間絶縁膜である有機薄膜の厚みを厚くすることによって、データラインと画素の重なりで発生する容量を減少させてクロストークを低減させたアクティブマトリクス型液晶表示装置。」
との事項が開示されていると認めることができる（以下、「引用例１発明」という。）。
　
　同じく、特開平６−２４２４３３号公報（以下、「引用例２」という。）には、
　ｉ．「【０００１】【産業上の利用分野】
　本発明は、アクティブマトリクス型液晶表示装置に関する。より詳しくは、画素電極とスイッチング用の薄膜トランジスタ（ＴＦＴ）とが集積的に形成されたアクティブマトリクス基板の平坦化技術に関する。」
　ｊ．「【０００４】【課題を解決するための手段】
　上述した従来の技術の課題に鑑み、本発明はアクティブマトリクス型液晶表示装置の配向制御を均一化する事を目的とする。又、アクティブマトリクス型液晶表示装置の開口率を改善する事を目的とする。その為に以下の手段を講じた。即ち、本発明にかかるアクティブマトリクス基板は、マトリクス状に配列した複数の画素電極を含む上側領域と、個々の画素電極を駆動する複数の薄膜トランジスタを含む下側領域とを互いに重ねた積層構造を有し、両領域の間に平坦化層を介在させた事を特徴とする。
前記平坦化層は、下側領域表面の凹凸を埋め平坦化する為に充分な厚みを有する透明樹脂膜からなる。この透明樹脂膜は、例えばアクリル樹脂等からなる
　　・・・・（中略）・・・・
【０００５】この様に平坦化されたアクティブマトリクス基板は以下の方法により製造される。即ち、基板上に複数の薄膜トランジスタを含む第一領域を集積形成する第一工程と、第一領域表面の凹凸を平坦化層で埋め平坦化する第二工程と、平坦化層の平らな表面に複数の画素電極をマトリクス状に配列した第二領域を形成する第三工程により製造される。前記第二行程は、液状の透明樹脂を塗布した後硬化する工程からなる。本製造方法は、該平坦化層を介して上側の画素電極と下側の薄膜トランジスタをコンタクトホールを通じて電気接続する接続工程を含んでいる。前記接続工程は、
例えば感光性樹脂からなる平坦化層
　ｋ．「【００２５】これに対し、図１３は本発明にかかるブラックマスク構造を表わしている。なお理解を容易にする為、図１２に示した部分と対応する部分には対応する参照番号を付してある。図示する様に、ＴＦＴ基板２１の表面凹凸を埋める様に透明平坦化膜２８が形成されており、さらにその上にはマトリクス状に所定の配列ピッチで画素電極２２が形成されている。
本例では、互いに隣接する画素電極２２の境界部と整合する様に金属配線パタン２３がＴＦＴ基板２１上にパタニング形成されている。従って、この金属配列パタン２３がブラックマスクとして機能する。なお斜め方向から観察した場合の視差を考慮して、金属配線パタン２３は、僅かに画素電極２２の端部と平面的に見て重なっている。
　　・・・・（中略）・・・・
【００２７】図１５は、図１３に示した本発明にかかるブラックマスク構造の平面パタン形状を示す。・・・」
　ｌ．「【００３０】・・・ＴＦＴや金属配線膜８０の凹凸を埋める様に平坦化膜８４が堆積されている。
この平坦化膜８４は１μｍ〜２μｍ程度の凹凸を埋める為、少なくとも２．０μｍ程度の膜厚を有する
が記載されている。
　ｍ．また、図１５からは、「
金属配線パタン２３と画素電極２２との重なり幅が１．０μｍである。
　
（３）対比
　そこで、本願補正発明と引用例１発明とを以下に対比する。
　ア．引用例１発明の「ゲートライン」、「データライン」、「スイッチング素子」、「画素電極」、「ゲート電極」、「ソース電極」、「ドレイン領域」及び「コンタクトホール」は、それぞれ本願補正発明の「ゲート配線」、「ソース配線」、「スイッチング素子」、「画素電極」、「ゲート電極」、「ソース電極」、「ドレイン電極」及び「コンタクトホール」に相当し、同様に、「アクティブマトリクス基板」、「対向電極」、「他方の基板」、「液晶」及び「アクティブマトリクス型液晶表示装置」は、それぞれ本願補正発明の「アクティブマトリクス基板」、「対向電極」、「対向基板」、「液晶層」及び「液晶表示装置」に相当する。
　イ．引用例１発明の「有機薄膜の層間絶縁膜」は有機薄膜である点で、本願補正発明の「アクリル系感光性樹脂の層間絶縁膜」と一致する。
　　
　したがって両者は、
「複数のゲート配線と、各ゲート配線とは直交するようにそれぞれが配置された複数のソース配線と、各ゲート配線と各ソース配線との交差部の近傍にそれぞれ配置された複数のスイッチング素子と、各ゲート配線、各ソース配線および各スイッチング素子を覆う有機薄膜の層間絶縁膜と、該層間絶縁膜上にマトリクス状に設けられた複数の画素電極とを備え、前記各スイッチング素子は、各スイッチング素子の近傍の交差部のゲート配線およびソース配線にそれぞれ接続されたゲート電極およびソース電極と、前記層間絶縁膜に設けられたコンタクトホールを介して前記各画素電極にそれぞれ接続されたドレイン電極とを有する、アクティブマトリクス基板と、対向電極が設けられた対向基板と、前記アクティブマトリクス基板の各画素電極と前記対向基板とによって挟持された液晶層とを備えた液晶表示装置。」
である点で一致し、次の点で相違している。
　　
［相違点１］本願補正発明の層間絶縁膜は、「アクリル系感光性樹脂」であるのに対して、引用例１発明の層間絶縁膜は、単なる「有機薄膜」であって、その材質及び感光性であるか否かが不明である点。
　
［相違点２］本願補正発明は、「１水平期間毎に極性が反転したデータ信号を、前記各ソース配線および前記スイッチング素子を介して前記各画素電極にそれぞれ供給して各画素を表示駆動する表示駆動手段とを備えた液晶表示装置」であるのに対して、引用例１発明の表示駆動手段が不明である点。
　
［相違点３］本願補正発明は、「下記式（１）で表される容量比が１０％以下となる下記容量値Ｃsdが得られるように、前記各ソース配線と各画素電極とが線幅方向に１μｍ以上オーバーラップし、前記層間絶縁膜の膜厚が２．０μｍ以上になっている、液晶表示装置；
　容量比＝Ｃsd／（Ｃsd＋Ｃls）・・・（１）
　但し、Ｃsdは画素電極とソース配線との間の容量値を示し、Ｃlsは各画素を構成する液晶の透過率が５０％の場合における容量値を示す。」ものであるのに対して、引用例１発明は、「データライン上の層間絶縁膜である有機薄膜の厚みを厚くすることによって、データラインと画素の重なりで発生する容量を減少させてクロストークを低減させたアクティブマトリクス型液晶表示装置。」であるものの、その容量比、各ソース配線と各画素電極との重なり寸法、及び層間絶縁膜の膜厚が不明である点。
　
（４）判断
　［相違点１］について
　上記引用例２には、薄膜トランジスタと画素電極間に介在させた平坦化層にアクリル樹脂等からなる感光性樹脂を用いる旨（上記ｊ）が記載されており、当該感光性樹脂が本願補正発明の「アクリル系感光性樹脂の層間絶縁膜」に相当することは明らかである。
　そして、引用例１発明の有機薄膜からなる層間絶縁膜として引用例２に記載された「アクリル系感光性樹脂の層間絶縁膜」を採用することは当業者が容易に想到し得ることである。
　
　［相違点２］について
　「１水平期間毎に極性が反転したデータ信号を、前記各ソース配線および前記スイッチング素子を介して前記各画素電極にそれぞれ供給して各画素を表示駆動する」方法は、本願出願前に周知の液晶駆動方法である。
　必要であれば、特開平５−３４１７３５号公報（段落【００２６】）、特開平６−１１７３１号公報（段落【０００３】）などを参照されたい。
　したがって、相違点２は当業者が適宜採用可能な事項にすぎず、格別ではない。
　
　［相違点３］について
　本願補正発明における「下記式（１）で表される容量比が１０％以下となる下記容量値Ｃsdが得られるように、前記各ソース配線と各画素電極とが線幅方向に１μｍ以上オーバーラップし、前記層間絶縁膜の膜厚が２．０μｍ以上になっている、液晶表示装置；
　容量比＝Ｃsd／（Ｃsd＋Ｃls）・・・（１）
　但し、Ｃsdは画素電極とソース配線との間の容量値を示し、Ｃlsは各画素を構成する液晶の透過率が５０％の場合における容量値を示す。」なる事項の技術上の趣旨は、本願明細書の記載（段落【００８４】，【００８５】）からみて、ソース配線と各画素電極との間の寄生容量を少なくしてクロストークの低減を図ることにあるのは明らかである。
　そして、引用例１発明においても、「データライン上の層間絶縁膜である有機薄膜の厚みを厚くすることによって、データラインと画素の重なりで発生する容量を減少させてクロストークを低減」させているのであるから、画素電極とソース配線との間の寄生容量を少なくする観点については、引用例１発明は本願補正発明の課題を解決したものということができ、それゆえ、上記の容量比が１０％以下であることは引用例１発明においても容易に推認し得ることである。
　また、引用例２には、各ソース配線と各画素電極とが線幅方向に１μｍ重なり合うこと及び層間絶縁膜の膜厚が２．０μｍであることが記載されており（上記ｌ，ｍ）、係る数値が格別のものでないこと、さらに、本願発明の段落【００８１】〜【００８５】の記載によれば、「容量比が１０％以下となる下記容量値Ｃsdが得られるように、前記各ソース配線と各画素電極とが線幅方向に１μｍ以上オーバーラップし、前記層間絶縁膜の膜厚が２．０μｍ以上になっている」なる本願補正発明の関係は、容量比＝Ｃsd／（Ｃsd＋Ｃls＋Ｃs）の場合において、図８のような関係が見出されたことから捻出されたものであることが明らかであるから、このような関係が本願補正発明の容量比＝Ｃsd／（Ｃsd＋Ｃls）の場合にも成り立つとは一概にいえないこと、などを勘案すると、「前記各ソース配線と各画素電極とが線幅方向に１μｍ以上オーバーラップし、前記層間絶縁膜の膜厚が２．０μｍ以上になっている」なる数値自体に特段の意義を見出すことができない。
　したがって、相違点３についても引用例１発明及び引用例２の記載事項から想到容易であるとの判断を免れない。
　
　よって、本願補正発明は、引用例１，２に記載された発明及び周知技術に基づき、当業者が容易に発明をすることができたものであるから、特許法第２９条第２項の規定により特許出願の際独立して特許を受けることができないものである。
　　
（５）むすび
　以上のとおり、本件補正は、平成１８年改正前特許法第１７条の２第５項において準用する同法第１２６条第５項の規定に違反するものであるから、同法第１５９条第１項の規定において読み替えて準用する同法第５３条第１項の規定により却下すべきものである。
　　
３．本願発明について
（１）本願発明
　平成１６年９月１０日付の手続補正は上記のとおり却下されたので、本願の請求項に係る発明は、平成１６年５月１４日付手続補正の特許請求の範囲の請求項１〜７に記載されたとおりのものと認められるところ、その請求項１に係る発明（以下、同項記載の発明を「本願発明」という。）は、次のものである。
　
「【請求項１】　複数のゲート配線と、各ゲート配線とは直交するようにそれぞれが配置された複数のソース配線と、各ゲート配線と各ソース配線との交差部の近傍にそれぞれ配置された複数のスイッチング素子と、各ゲート配線、各ソース配線および各スイッチング素子を覆うアクリル系感光性樹脂の層間絶縁膜と、該層間絶縁膜上にマトリクス状に設けられた複数の画素電極とを備え、前記各スイッチング素子は、各スイッチング素子の近傍の交差部のゲート配線およびソース配線にそれぞれ接続されたゲート電極およびソース電極と、前記層間絶縁膜に設けられたコンタクトホールを介して前記各画素電極にそれぞれ接続されたドレイン電極とを有する、アクティブマトリクス基板と、
　対向電極が設けられた対向基板と、
　前記アクティブマトリクス基板の各画素電極と前記対向基板とによって挟持された液晶層と、
　１水平期間毎に極性が反転したデータ信号を、前記各ソース配線および前記スイッチング素子を介して前記各画素電極にそれぞれ供給して各画素を表示駆動する表示駆動手段とを備えた液晶表示装置であって、
　下記式（１）で表される容量比が１０％以下となる下記容量値Ｃsdが得られるように、前記各ソース配線と各画素電極とがそれぞれオーバーラップしている、液晶表示装置；　　容量比＝Ｃsd／（Ｃsd＋Ｃls）・・・（１）
　但し、Ｃsdは画素電極とソース配線との間の容量値を示し、Ｃlsは各画素を構成する液晶の透過率が５０％の場合における容量値を示す。」
　　
（２）引用例
　原査定の拒絶の理由に引用された引用例及びその記載事項は、上記「２．（２）」に記載したとおりである。
　　
（３）対比・判断
　本願発明は、本願補正発明の、「
線幅方向に１μｍ以上
前記層間絶縁膜の膜厚が２．０μｍ以上になっている
　そうすると、本願発明の構成要件を全て含み、さらに限定を付したものに相当する本願補正発明が、上記「２．（４）」に記載したとおり、引用例１，２に記載された発明及び周知技術に基づいて、当業者が容易に発明をすることができたものであるから、本願発明も、同様の理由により、引用例１，２に記載された発明及び周知技術に基づいて、当業者が容易に発明をすることができたものである。
　
（４）むすび
　以上のとおり、本願発明は、引用例１，２に記載された発明及び周知技術に基づいて、当業者が容易に発明をすることができたものであるから、特許法第２９条第２項の規定により特許を受けることができない。
　よって、結論のとおり審決する。